【事件の表示】
　平成　５年特許願第　６５０８７号「自動販売機」拒絶査定不服審判事件〔平成　６年　９月３０日出願公開、特開平　６−２７４７５３〕について、次のとおり審決する。
【結　論】
　本件審判の請求は、成り立たない。
【理　由】
１．手続の経緯・本願発明
　本願は、平成５年３月２４日の出願であって、その請求項１に係る発明は、平成１７年４月４日付けの手続補正によって補正された特許請求の範囲の請求項１に記載されたとおりの次のものと認められる（以下、「本願発明」という。）。
　
　「庫内温度に基づきオン・オフ制御される圧縮機及びヒータを備えた冷却加温回路からの冷気または暖気を本体ケース内に設けられた商品収納庫に循環させて、商品収納庫に収納された商品を冷却又は加温する自動販売機において、本体ケースの後部側板に沿って通風路を形成するダクト用の隔壁を商品収納庫内の後方にほぼ垂直に設け、隔壁の下部に商品収納庫をこの下部から通風路に連通させる連絡口を設けて、連絡口にはこれを開閉するシャッターを設け、圧縮機およびシャッターの動作時間をそれぞれ個別に設定するタイマーを設け、外気温度に対応した一日の時間帯で圧縮機の運転を制御する制御手段を設け、商品の販売量に対応した一日の時間帯で、タイマーの設定に基づいて、日中から夜にかけての販売量の多い時間帯はシャッターを開いて冷気または暖気を商品収納庫の下部のみに循環させ、夜間から深夜の販売量の少ない時間帯はシャッターを閉じて冷気または暖気を商品収納庫の全域に循環させるようシャッターを開閉するとともに、販売量の少ない時間帯で圧縮機の強制的運転停止後に圧縮機の運転が再開されたときはシャッターを開くアクチュエータを設けた、ことを特徴とする自動販売機。」
　
２．引用例
（１）当審の拒絶の理由に引用した実願昭６１−２０３３０９号（実開昭６３−１０３１７７号）のマイクロフィルム（以下、「引用例１」という。）には、図面とともに、次の記載がある。
　
・「産業上の利用分野
　本考案は例えば、缶入り清涼飲料水等の物品を収納貯蔵する自動販売機に関する。
　従来の技術
　従来、缶入り清涼飲料水等の物品を収納貯蔵し販売する自動販売機においてはその設地状況により、単位時間当りの販売数量が比較的多い場合は、庫内全体を冷却もしくは加熱し、また販売数量が比較的少ない場合は庫内下部のみを冷却もしくは加熱し、販売される物品の温度が常に適温となるよう制御されていた。この種自動販売機は、例えば実開昭５６‐１５９８７７号公報に示されているように第５図、第６図のような構造になっていた。
　第５図において、１は自動販売機本体でこの本体１には開閉扉２が取付けられている。２′は開閉扉２の下部に設けられた販売口扉２″により覆われた販売口で、物品はこの販売口２′より搬出、販売される。３は本体１内に形成された物品収納庫であり、物品収納庫３の内部には物品収納コラム４、下部には冷却器５、加熱器６、送風用ファン７、物品搬出用シュート８がそれぞれ配設されている。また、物品収納コラム４の背後には衝立板状の通風ガイド９が配設され、物品収納庫３の背壁との間に前記送風用ファン７へ連通する導風路１０を形成している。通風ガイド９には通風域切換手段として通風ガイド９の上下方向の中間部には開閉蓋１１により開閉される通風口１２が開口してある。
　以上のように構成された自動販売機について、以下その動作について説明する。前記通風ガイド９の通風口１２は開閉蓋１１により閉じられており、庫内を循環する冷気あるいは暖気は第５図の実線で示す矢印のごとく物品収納庫３全体にわたり循環し、冷却器５あるいは加熱器６と熱交換し、再び送風用ファン７により庫内へ送り出され、庫内全体にわたり冷却あるいは加温される。そして、開閉蓋１１をワイヤあるいはリンク機構（いずれも図示せず）等を用いて回動もしくは摺動させ通風口１２を開口した時は、庫内を循環する冷気あるいは暖気の対流経路は一部は従来と同様実線の経路を通過するが第５図に破線の矢印で示すごとくなり、物品収納庫３の下方のみを集中して冷却あるいは加温することになる。」（第１頁第１６行−第３頁第１９行）
　
　また、通常、冷却器及び加熱器を有することは、「圧縮機及び加熱器を備えた冷却加温回路」を有することであり、更に、圧縮機及び加熱器は、庫内温度に基づきオン・オフ制御されるものであるから、引用例１に記載された自動販売機は、「庫内温度に基づきオン・オフ制御される圧縮機及び加熱器を備えた冷却加温回路」を有すると言える。
　
　したがって、引用例１には、次の発明が記載されているものと認められる（以下、「引用例１発明」という。）。
　
　「庫内温度に基づきオン・オフ制御される圧縮機及び加熱器を備えた冷却加温回路からの冷気または暖気を本体ケース内に設けられた商品収納庫に循環させて、商品収納庫に収納された商品を冷却又は加温する自動販売機において、本体ケースの後部側板に沿って通風路を形成するダクト用の通風ガイドを商品収納庫内の後方にほぼ垂直に設け、通風ガイドの中間部に商品収納庫をこの中間部から通風路に連通させる通風口を設けて、通風口にはこれを開閉する開閉蓋を設け、販売量の多い場合は開閉蓋を閉じて冷気または暖気を商品収納庫の全域に循環させ、販売量の少ない場合は開閉蓋を開いて冷気または暖気を商品収納庫の下部のみに循環させるよう開閉蓋を開閉するワイヤあるいはリンク機構を設けた自動販売機。」
　
（２）同じく、当審の拒絶の理由に引用した特開平４−２４１６９８号公報（以下、「引用例２」という。）には、図面とともに、次の記載がある。
　
・「【０００１】【産業上の利用分野】この発明は、外気温度や単位時間当たりの商品販売量などの外的変動要因のもとに、商品を指定温度に近い状態で販売，保存できるように、冷却または加熱すべき空間範囲を、格納空間全体にするか、または取出口に近い下位区域だけに限定するなどして運転の合理化が図れる自動販売機に関する。」
　
・「【００１４】【実施例】本発明に係る自動販売機の第１，第２の各実施例について、以下に図を参照しながら説明する。この各実施例は、目的ないし絶対条件として缶入り飲料の商品を指定温度（適温）で販売，保存し、希望条件として省エネルギー化つまり運転コスト低減を図る。」
　
・「【００２０】（中略）また、モード０〜４は販売量が設定状態のときに係り、モード０：初期準備期、モード１：準備期、モード２，３：準安定期、モード４：安定期、である。モード５〜８は販売量が設定状態を超えるときに係り、モード５：繁忙準備期、モード６，７：繁忙準安定期、モード８：繁忙安定期、である。モード９〜１２は販売量が設定状態未満のときに係り、モード９：閑散準備期、モード１０，１１：閑散準安定期、モード１２：閑散安定期、である。
【００２１】この条件対応図の見方について、いくつかのモードを例に説明する。まず、モード０では、初期に上部温度（外気温度）も高く．下部温度も高いから、販売は不適当とし、販売を停止するとともに、送風量は下位区域に限定して急速に冷却する必要がある。その意味でモード０は初期準備期と名付ける。なお、モード０の外は、販売量は「ＴＨＥＮ」になることはなく、全て「ＩＦ」である。モード１では、いったん販売を開始してから後に、上部温度または外気温度も、下部温度もともに高い状態にあり、直ぐ販売すべき商品を急速に適温にするため送風量は下位区域に対応させる。モ‐ド２では、上部温度はまだ高いが、下部温度は設定状態で、販売量も設定状態であるから、送風量は全域に対応させる。モード３では、上部温度は設定状態であるが、下部温度が高い状態で、販売量も設定状態であるから、送風量は全域に対応させる。モード４では、上部，下部の各温度とも設定状態にあり、販売量も設定状態であるから、省エネルギーのため送風は停止させる。モード５〜８は販売量が設定状態を超えて多過ぎの場合で、温度条件がいずれであっても直ぐ販売すべき商品を適温に冷却することに専念するため、送風は下位区域に対応させる。また、モード９〜１２は販売量が設定状態未満で少な過ぎの場合で、省エネルギーを図るのを主眼として、モード１２の上部，下部の各温度とも設定状態にあるとき送風を停止させる外は、送風を下位区域に対応させる。」
　
３．対比
　本願発明と引用例１発明とを対比する。
　
　引用例１発明の「加熱器」は本願発明の「ヒータ」に相当し、以下同様に、「通風ガイド」は「隔壁」に、「通風口」は「連絡口」に、「開閉蓋」は「シャッター」に、また、「ワイヤあるいはリンク機構」は「アクチュエータ」にそれぞれ相当するから、
　
両者は、
　
　「庫内温度に基づきオン・オフ制御される圧縮機及びヒータを備えた冷却加温回路からの冷気または暖気を本体ケース内に設けられた商品収納庫に循環させて、商品収納庫に収納された商品を冷却又は加温する自動販売機において、本体ケースの後部側板に沿って通風路を形成するダクト用の隔壁を商品収納庫内の後方にほぼ垂直に設け、隔壁に商品収納庫を通風路に連通させる連絡口を設けて、連絡口にはこれを開閉するシャッターを設け、販売量の多少に応じて、冷気または暖気を商品収納庫の下部のみ又は全域に循環させるようシャッターを開閉するアクチュエータを設けた自動販売機。」
　
の点で一致し、次の点で相違する。
　
　［相違点１］
　本願発明では、連絡口を「隔壁の下部」に設け、「商品収納庫をこの下部から通風路に連通させる」のに対して、引用例１発明では、連絡口を「隔壁の中間部」に設け、「商品収納庫をこの中間部から通風路に連通させる」点。
　
　［相違点２］
　本願発明では、「圧縮機およびシャッターの動作時間をそれぞれ個別に設定するタイマーを設け、外気温度に対応した一日の時間帯で圧縮機の運転を制御する制御手段を設け」るのに対して、引用例１発明では、そのような限定がない点。
　
　［相違点３］
　本願発明では、「商品の販売量に対応した一日の時間帯で、タイマーの設定に基づいて、日中から夜にかけての販売量の多い時間帯はシャッターを開いて冷気または暖気を商品収納庫の下部のみに循環させ、夜間から深夜の販売量の少ない時間帯はシャッターを閉じて冷気または暖気を商品収納庫の全域に循環させるようシャッターを開閉する」のに対して、引用例１発明では、「販売量の多い場合はシャッターを閉じて冷気または暖気を商品収納庫の全域に循環させ、販売量の少ない場合はシャッターを開いて冷気または暖気を商品収納庫の下部のみに循環させるようシャッターを開閉する」点。
　
　［相違点４］
　本願発明では、アクチュエータが「販売量の少ない時間帯で圧縮機の強制的運転停止後に圧縮機の運転が再開されたときはシャッターを開く」のに対して、引用例１発明では、そのような限定がない点。
　
４．判断
　上記相違点について検討する。
　
　相違点１について
  引用例１発明において、連絡口を「隔壁の中間部」に設けることに代えて、「隔壁の下部」に設けることは、単なる設計事項である。
　
　相違点２について
　一日の外気温度の変化に対応して、例えば、エアコンの圧縮機の運転・停止をタイマーにより設定することは、従来周知である。また、エアコンに限らず、各種部材の動作時間をタイマーにより設定することも、従来周知である。
　
　したがつて、引用例１発明において、「圧縮機およびシャッターの動作時間をそれぞれ個別に設定するタイマーを設け、外気温度に対応した一日の時間帯で圧縮機の運転を制御する制御手段を設け」ることは、当業者が容易に想到し得たことである。
　
　相違点３について
　引用例１発明において、冷気または暖気の循環域の切り替えが、省エネルギーのためであることは、明らかである。
　
　また、自動販売機において、日中から夜にかけては販売量が多く、夜間から深夜にかけては販売量が少なくなることは、従来周知である。更に、上記したように、各種部材の動作時間をタイマーにより設定することも、従来周知である。
　
　したがって、引用例１発明において、省エネルギーのために、「販売量の多い場合」として「日中から夜にかけての販売量の多い時間帯」を選択し、また、「販売量の少ない場合」として「夜間から深夜の販売量の少ない時間帯」を選択し、これらの時間帯で冷気または暖気の循環域を切り替えるべく、「商品の販売量に対応した一日の時間帯で、タイマーの設定に基づいて」、シャッターの開閉を切り替えることは、当業者が容易に想到し得たことである。
　
　更に、引用例２に、省エネルギー化を図りつつ、商品を指定温度で販売するために、販売量が設定値である場合には、上部温度及び下部温度に応じて、送風を下部区域又は全域に対応させ、また、販売量が設定値を超える場合には、送風を下位区域に対応させた点が記載されている。
　
　したがって、引用例１発明において、「販売量の多い場合はシャッターを閉じて冷気または暖気を商品収納庫の全域に循環させ、販売量の少ない場合はシャッターを開いて冷気または暖気を商品収納庫の下部のみに循環させるようシャッターを開閉する」ことに代えて、「日中から夜にかけての販売量の多い時間帯はシャッターを開いて冷気または暖気を商品収納庫の下部のみに循環させ、夜間から深夜の販売量の少ない時間帯はシャッターを閉じて冷気または暖気を商品収納庫の全域に循環させるようシャッターを開閉する」することは、単なる設計事項である。
　
　相違点４について
　引用例２に、上部温度及び下部温度が設定状態にあり、販売量が設定状態未満の場合（モード１２）に、送風を停止させる点が記載され、また、初期準備期（モード０）において、送風を下位区域に限定し、商品を急速に冷却する点が記載されている。
　
　したがって、引用例１発明において、アクチュエータが「販売量の少ない時間帯で圧縮機の強制的運転停止後に圧縮機の運転が再開されたときはシャッターを開」き、冷気または暖気を商品収納庫の下部のみに循環させ、商品を急速に冷却または加熱することは、当業者が容易に想到し得たことである。
　
　そして、本願発明の作用効果も、引用例１、引用例２の記載及び周知技術から当業者が予測できた範囲内のものである。
　
５．むすび
　本願発明は、引用例１に記載された発明、引用例２に記載された発明、及び、周知技術に基づいて、当業者が容易に発明をすることができたものであるから、特許法第２９条第２項の規定により特許を受けることができない。
　
　よって、結論のとおり審決する。